(57)【要約】【課題】原稿を読み取った画像データからファイルを作成するに際し、ユーザの利便性を向上させること。【解決手段】原稿を読取り、原稿画像データを生成する読取部５と、読取部５により生成された原稿画像データからオブジェクト画像が描画された領域ごとに画像データを抽出し、該抽出された各画像データが１ページごとに割り付けられたファイルを出力する制御を行うＣＰＵ２と、を備える。【選択図】図１
2012168832.tif 000002
【特許請求の範囲】
【請求項１】
原稿を読取り、原稿画像データを生成する読取部と、
前記読取部により生成された原稿画像データからオブジェクト画像が描画された領域ごとに画像データを抽出し、該抽出された各画像データが１ページごとに割り付けられたファイルを出力する制御を行う制御部と、
を備える画像処理装置。
【請求項２】
前記制御部は、
前記原稿画像データから前記画像データを予め指定された順番で抽出し、該抽出された順番で前記画像データが１ページごとに割り付けられたファイルを出力する制御を行う請求項１に記載の画像処理装置。
【請求項３】
原稿を読取り、原稿画像データを生成する読取部と、
前記原稿画像データから所定のデータ領域を画像データとして指定入力するための入力部と、
前記読取部により生成された原稿画像データから前記入力部により指定入力された画像データを抽出し、該抽出された画像データが１ページごとに割り付けられたファイルを出力する制御を行う制御部と、
を備える画像処理装置。
【請求項４】
前記制御部は、
前記抽出された画像データを拡大し、該拡大された画像データが１ページごとに割り付けられたファイルを出力する制御を行う請求項１から３のいずれか一項に記載の画像処理装置。
【請求項５】
情報を表示する表示部を備え、
前記制御部は、
前記ファイルのプレビュー画面を前記表示部に表示させる請求項１から４のいずれか一項に記載の画像処理装置。
【請求項６】
前記ファイルは、
ＯＯＸＭＬ形式のパワーポイント（登録商標）ファイルである請求項１から５のいずれか一項に記載の画像処理装置。
【請求項７】
原稿を読取り、原稿画像データを生成する読取工程と、
前記読取工程により生成された原稿画像データからオブジェクト画像が描画された領域ごとに画像データを抽出し、該抽出された各画像データが１ページごとに割り付けられたファイルを出力する制御を行う制御工程部と、
を含む画像処理方法。
【請求項８】
原稿を読取り、原稿画像データを生成する読取工程と、
前記原稿画像データから所定のデータ領域を画像データとして指定入力するための入力工程と、
前記読取工程により生成された原稿画像データから前記入力工程により指定入力された画像データを抽出し、該抽出された画像データが１ページごとに割り付けられたファイルを出力する制御を行う制御工程と、
を含む画像処理方法。
【請求項９】
コンピュータに、
原稿を読取り、原稿画像データを生成する読取機能、
前記読取部により生成された原稿画像データからオブジェクト画像が描画された領域ごとに画像データを抽出し、該抽出された各画像データが１ページごとに割り付けられたファイルを出力する制御を行う制御機能、
を実現させるためのプログラム。
【請求項１０】
コンピュータに、
原稿を読取り、原稿画像データを生成する読取機能、
前記原稿画像データから所定のデータ領域を画像データとして指定入力するための入力機能、
前記読取部により生成された原稿画像データから前記入力部により指定入力された画像データを抽出し、該抽出された画像データが１ページごとに割り付けられたファイルを出力する制御を行う制御機能、
を実現させるためのプログラム。
【発明の詳細な説明】
【技術分野】
【０００１】
本発明は、画像処理装置、画像処理方法及びプログラムに関する。
【背景技術】
【０００２】
近年、原稿をスキャナにより読み取って原稿を表す画像データを生成し、該生成した画像データをＰＤＦ（Portable Document Format）などの電子ファイル（以下、ファイル）に変換する技術が実用化されている。
【０００３】
特に最近では、ＯＯＸＭＬ（Office Open XML）のファイル形式が仕様標準化されたことに伴い、画像データをＯＯＸＭＬファイル形式にも変換できるようになっている。
【０００４】
また、原稿内の文字、図画、写真などを異なる部品（オブジェクト）に分割し、該分割したオブジェクトごとにベクトル化処理を行うことで、オブジェクトごとに再利用可能なファイルを作成する技術も知られている（例えば、特許文献１参照）。      
【先行技術文献】
【特許文献】
【０００５】
【特許文献１】特開２００６−１４６４８６号公報
【発明の概要】
【発明が解決しようとする課題】
【０００６】
しかしながら、上述の特許文献１の技術では、例えば、図１２に示すように複数の画像が１ページ内に割り付けられた原稿を読み取った場合、原稿のレイアウトを変更してファイルを作成することはできない。このため、図１３に示すように、原稿のレイアウトがそのままのレイアウトであるファイルが作成される。
【０００７】
このとき、例えば、ファイルの１ページ内にある４つの画像データを１ページずつに割り付けるためには、ユーザは、画像データを１ページごとに割り付ける作業を要していた。
【０００８】
本発明の課題は、原稿を読み取った画像データからファイルを作成するに際し、ユーザの利便性を向上させることである。
【課題を解決するための手段】
【０００９】
上記課題を解決するため、請求項１に記載の発明の画像処理装置は、
原稿を読取り、原稿画像データを生成する読取部と、
前記読取部により生成された原稿画像データからオブジェクト画像が描画された領域ごとに画像データを抽出し、該抽出された各画像データが１ページごとに割り付けられたファイルを出力する制御を行う制御部と、
を備える。
【００１０】
請求項２に記載の発明は、請求項１に記載の画像処理装置において、
前記制御部は、
前記原稿画像データから前記画像データを予め指定された順番で抽出し、該抽出された順番で前記画像データが１ページごとに割り付けられたファイルを出力する制御を行う。
【００１１】
請求項３に記載の発明の画像処理装置は、
原稿を読取り、原稿画像データを生成する読取部と、
前記原稿画像データから所定のデータ領域を画像データとして指定入力するための入力部と、
前記読取部により生成された原稿画像データから前記入力部により指定入力された画像データを抽出し、該抽出された画像データが１ページごとに割り付けられたファイルを出力する制御を行う制御部と、
を備える。
【００１２】
請求項４に記載の発明は、請求項１から３のいずれか一項に記載の画像処理装置において、
前記制御部は、
前記抽出された画像データを拡大し、該拡大された画像データが１ページごとに割り付けられたファイルを出力する制御を行う。
【００１３】
請求項５に記載の発明は、請求項１から４のいずれか一項に記載の画像処理装置において、
情報を表示する表示部を備え、
前記制御部は、
前記ファイルのプレビュー画面を前記表示部に表示させる。
【００１４】
請求項６に記載の発明は、請求項１から５のいずれか一項に記載の画像処理装置において、
前記ファイルは、
ＯＯＸＭＬ形式のパワーポイント（登録商標）ファイルである。
【００１５】
請求項７に記載の発明の画像処理方法は、
原稿を読取り、原稿画像データを生成する読取工程と、
前記読取工程により生成された原稿画像データからオブジェクト画像が描画された領域ごとに画像データを抽出し、該抽出された各画像データが１ページごとに割り付けられたファイルを出力する制御を行う制御工程部と、
を含む。
【００１６】
請求項８に記載の発明の画像処理方法は、
原稿を読取り、原稿画像データを生成する読取工程と、
前記原稿画像データから所定のデータ領域を画像データとして指定入力するための入力工程と、
前記読取工程により生成された原稿画像データから前記入力工程により指定入力された画像データを抽出し、該抽出された画像データが１ページごとに割り付けられたファイルを出力する制御を行う制御工程と、
を含む。
【００１７】
請求項９に記載の発明のプログラムは、
コンピュータに、
原稿を読取り、原稿画像データを生成する読取機能、
前記読取部により生成された原稿画像データからオブジェクト画像が描画された領域ごとに画像データを抽出し、該抽出された各画像データが１ページごとに割り付けられたファイルを出力する制御を行う制御機能、
を実現させる。
【００１８】
請求項１０に記載の発明のプログラムは、
コンピュータに、
原稿を読取り、原稿画像データを生成する読取機能、
前記原稿画像データから所定のデータ領域を画像データとして指定入力するための入力機能、
前記読取部により生成された原稿画像データから前記入力部により指定入力された画像データを抽出し、該抽出された画像データが１ページごとに割り付けられたファイルを出力する制御を行う制御機能、
を実現させる。  
【発明の効果】
【００１９】
本発明によれば、原稿を読み取った画像データからファイルを作成するに際し、ユーザの利便性を向上させることができる。
【図面の簡単な説明】
【００２０】
【図１】画像処理装置の主要構成図である。
【図２】ファイル化処理の流れを示す図である。
【図３】（Ａ）は、面付け原稿を示す図である。（Ｂ）は、ノート原稿を示す図である。（Ｃ）は、配布資料原稿を示す図である。
【図４】第１の処理の流れを示す図である。
【図５】マージン情報及びサイズ情報を説明するための図である。
【図６】パワーポイントファイルのファイル構成を示す図である。
【図７】（Ａ）は従来例に係るｓｌｉｄｅ１．ｘｍｌファイルを示す図である。（Ｂ）は本発明に係るｓｌｉｄｅ１．ｘｍｌファイル及びｓｌｉｄｅ２．ｘｍｌファイルを示す図である。
【図８】（Ａ）は、面付け原稿から作成されたパワーポイントファイルが表示された表示画面を示す図である。（Ｂ）は、ノート原稿から作成されたパワーポイントファイルが表示された表示画面を示す図である。（Ｃ）は、配布資料原稿から作成されたパワーポイントファイルが表示された表示画面を示す図である。
【図９】第２の処理の流れを示す図である。
【図１０】原稿画像データが表示されたことを示す図である。
【図１１】（Ａ）は、枠線がユーザにより指定入力されたことを示す図である。（Ｂ）は、作成されたパワーポイントファイルが表示されたことを示す図である。
【図１２】複数の画像が１ページ内に割り付けられた原稿を示す図である。
【図１３】原稿のレイアウトがそのままのファイルを示す図である。
【発明を実施するための形態】
【００２１】
以下、図を参照して本発明の実施の形態の例を詳細に説明する。
図１は、本発明の一実施形態である画像処理装置１のブロック図である。
画像処理装置１は、制御部としてのＣＰＵ（Central Processing Unit）２と、ＲＡＭ（Random Access Memory）３と、ＲＯＭ（Read Only Memory）４、読取部５と、印刷部６と、表示部７と、操作部８と、カードスロット９と、を備えて構成され、各部はバス１０により接続されている。
【００２２】
ＣＰＵ２は、ＲＯＭ４内に格納されている各種処理プログラムやデータをＲＡＭ３に展開し、当該プログラムに基づいて画像処理装置１の各部の動作を集中制御する。
【００２３】
ＲＡＭ３は、ＣＰＵ２が実行する各種プログラムやデータ等が一時的に展開され、各種プログラムで処理されたデータ等を一時的に記憶する領域を有する。ＲＯＭ４は、ＣＰＵ２により実行される各種処理のプログラムやデータ等を記憶する。
【００２４】
読取部５は、自動原稿搬送部（ＡＤＦ）、プラテンガラス、ＣＣＤ等の光学系を備えて構成され、ＡＤＦ又はプラテンガラスに載置された原稿の画像を光学系により読み取る機能を実現する。読取部５により読み取られた画像の原稿画像データ（アナログ画像信号）は、Ａ／Ｄ変換され、各種画像処理が施された後、印刷部６に出力される。
【００２５】
印刷部６は、入力された原稿画像データに基づいて画像形成（印刷）処理を行う。印刷部６に採用可能な印刷方式としては、例えば電子写真方式やインクジェット方式、熱転写方式、オフセット等が挙げられる。本実施の形態では、印刷部６は、電子写真方式による画像形成を行うための構成を有する。
【００２６】
表示部７は、ＬＣＤ又は有機ＥＬディスプレイ等を備えて構成され、ＣＰＵ２から入力される表示信号に従って、各種操作指示や設定情報を入力するための各種設定画面や各種処理結果等を表示する。
【００２７】
操作部８は、各種キー、タッチペン、タッチパネル等を備えて構成され、ユーザからの操作を受け付ける。操作部８は、ユーザからの操作を受け付けた場合、操作信号を生成し、生成した操作信号をＣＰＵ２に出力する。
【００２８】
カードスロット９は、種々の情報を記憶した外部情報記憶媒体と着脱可能に設けられている。なお、この外部情報記憶媒体には、ＲＡＭ３やＲＯＭ４内の情報を記憶できるようになっている。
【００２９】
次に、図２〜図１１を参照して、画像処理装置１の動作について説明する。図２に示すファイル化処理は、原稿を読み取り、該読み取った原稿からファイルを作成する処理である。
【００３０】
本実施の形態では、マイクロソフト・オフィスのパワーポイント（登録商標）により原稿を作成し、該作成された原稿を読み取るものとする。また、原稿としては、図３（Ａ）〜（Ｃ）に示す３種類のいずれかの原稿を読み取るものとする。
【００３１】
図３（Ａ）に示す面付け原稿は、複数のオブジェクト画像が１つのページ内に割り付けられた原稿である。オブジェクト画像は、パワーポイントのスライド領域に描画された画像である。オブジェクト画像は、テキスト、イメージ、グラフィックで描画されたオブジェクトの画像を含む。
【００３２】
図３（Ｂ）に示すノート原稿は、オブジェクト画像とテキスト画像とで構成される原稿である。テキスト画像は、パワーポイントのノート領域に記載されたテキストオブジェクトで構成される画像である。
【００３３】
図３（Ｃ）に示す配布資料原稿は、オブジェクト画像とメモ画像とで構成される原稿である。メモ画像は、複数の線で構成される画像である。
上記の図３（Ａ）〜（Ｃ）に示すいずれかの原稿が読み取られた場合におけるファイル化処理を、図２を参照して説明する。
【００３４】
先ず、ユーザによる操作部８を介しての操作により、第１の処理又は第２の処理の選択入力が受け付けられる（ステップＳ１）。
【００３５】
ステップＳ１の実行後、選択入力された処理は第１の処理であるか否かが判別される（ステップＳ２）。ステップＳ２において、第１の処理であると判別された場合（ステップＳ２；ＹＥＳ）、第１の処理が実行される（ステップＳ３）。第１の処理については後述する。ステップＳ３の実行後、ファイル化処理は終了される。
【００３６】
ステップＳ２において、第１の処理でないと判別された場合（ステップＳ２；ＮＯ）、第２の処理が実行される（ステップＳ４）。第２の処理については後述する。ステップＳ４の実行後、ファイル化処理は終了される。
【００３７】
次に、図４を参照して、ファイル化処理のステップＳ３で実行される第１の処理について説明する。第１の処理は、原稿画像データから画像データを抽出し、該抽出された画像データが１ページごとに割り付けられたパワーポイントファイルを出力する処理である。具体的には、第１の処理は、原稿画像データから画像データを抽出し、該抽出された画像データが１ページごとに割り付けられたパワーポイントファイルを作成し、該作成されたパワーポイントファイルをＲＯＭ４に記憶する処理である。
【００３８】
先ず、ユーザによる操作部８を介しての操作により、原稿の体裁情報の入力が受け付けられる（ステップＳ１１）。原稿の体裁情報は、原稿のレイアウトに関する情報である。例えば、原稿の体裁情報は、原稿の種類情報、オブジェクト画像の数を示す情報等を含む。原稿の種類情報は、原稿が面付け原稿であるのか、ノート原稿であるのか、又は配布資料原稿であるのかを示す情報である。  
【００３９】
ステップＳ１１の実行後、原稿の種類情報に基づいて、原稿は面付け原稿であるか否かが判別される（ステップＳ１２）。ステップＳ１２において、面付け原稿でないと判別された場合（ステップＳ１２；ＮＯ）、ステップＳ１４に移行される。
【００４０】
ステップＳ１２において、面付け原稿であると判別された場合（ステップＳ１２；ＹＥＳ）、ユーザによる操作部８を介しての操作により、原稿の面付け情報の入力が受け付けられる（ステップＳ１３）。原稿の面付け情報とは、複数のオブジェクト画像が１ページに割り付けられたことを示す割付情報（例えば、２ｉｎ１、４ｉｎ１を示す情報）及び複数のページを１ページに割り付ける方向を示す方向情報（例えば、ページの左上から右下へ割り付けることを示す情報）である。
【００４１】
ステップＳ１３の実行後、ユーザによる操作部８を介しての操作により、ファイルフォーマット及びファイル名の入力が受け付けられる（ステップＳ１４）。ファイルフォーマットは、ファイルの保存形式を示すフォーマットである。本実施の形態では、ファイルの保存形式は、ＯＯＸＭＬ形式であるものとする。
【００４２】
ＯＯＸＭＬ形式は、ワード、エクセル、パワーポイント等のファイル形式として採用されている。ＯＯＸＭＬの拡張子はそれぞれ、「ｄｏｃｘ」、「ｘｌｓｘ」、「ｐｐｔｘ」で定義される。本実施の形態では、ファイルフォーマットとして、ＯＯＸＭＬ形式のパワーポイントファイルが入力されるものとして説明する。
【００４３】
ステップＳ１４の実行後、読取部５により原稿がスキャン、すなわち読み取られる（ステップＳ１５）。読取部５により原稿が読み取られると、原稿画像データが生成される。
【００４４】
ステップＳ１５の実行後、原稿の体裁が判別される（ステップＳ１６）。具体的には、ステップＳ１で入力された原稿の種類情報に基づいて、原稿の体裁が面付け原稿、ノート原稿又は配布資料原稿であるかについての判別が行われる。
【００４５】
ステップＳ１６において、原稿の体裁が面付け原稿であると判別された場合（ステップＳ１６；面付け）、面付け分の繰り返し処理が開始される（ステップＳ１７）。例えば、ステップＳ１３において、割付情報として４ｉｎ１が入力された場合、面付け分は「４」となる。この場合、４回分、ステップＳ１７〜ステップＳ２１までを繰り返す処理が実行される。
【００４６】
ステップＳ１７の実行後、面付け情報から描画位置が算出される（ステップＳ１８）。描画位置は、オブジェクト画像の描画領域を示す。すなわち、本ステップでは、面付け情報からオブジェクト画像の描画領域が算出される。具体的には、先ず、面付け情報に基づいて、マージン情報及びサイズ情報がＲＯＭ４から読み出される。そして、読み出されたマージン情報及びサイズ情報に基づいて、オブジェクト画像の描画領域が算出される。マージン情報及びサイズ情報は、面付け情報に関連付けられた値がデフォルト値としてＲＯＭ４に記憶されている。なお、マージ情報及びサイズ情報のデフォルト値は、ユーザによる操作入力により変更可能であるものとする。
【００４７】
図５を参照して、マージン情報及びサイズ情報について説明する。図５は、４ｉｎ１で面付けされた原稿を模式的に示した図である。原稿内の四角部分は、オブジェクト画像の描画領域を示している。
【００４８】
マージン情報は、原稿の左上の座標（図５の基準座標）からオブジェクト画像の描画領域の左上の座標（すなわち、描画開始座標）までのマージン値を示す情報である。マージン情報は、幅マージン、高さマージンの２種類の値がある。図５に示すように、マージン情報は、オブジェクト画像の描画領域に応じて異なる値となる（幅マージン（１）〜（４）、高さマージン（１）〜（４）参照）。
【００４９】
サイズ情報は、オブジェクト画像の描画領域のサイズを示す情報である。サイズ情報は、幅、高さの２種類の値がある。
【００５０】
以下、オブジェクト画像の描画領域を算出する流れを説明する。例えば、割付情報が４ｉｎ１、方向情報が左上から右下である面付け情報の場合、該面付け情報に関連付けられたマージン情報及びサイズ情報がＲＯＭ４から読み出される。そして、マージン情報に基づいて、オブジェクト画像の描画開始座標が算出される。そして、サイズ情報に基づいて、算出された描画開始座標を基準としたオブジェクト画像の描画領域が算出される。そして、算出されたオブジェクト画像の描画領域が画像データとして抽出される。
【００５１】
ステップＳ１８の実行後、画像データがあるか否かが判別される（ステップＳ１９）。具体的には、ステップＳ１１で入力されたオブジェクト画像の数及びステップＳ１３で入力された割付情報に基づいて、画像データがあるか否かが判別される。例えば、オブジェクト画像の数が３であって、割付情報が４ｉｎ１であった場合、面付け分繰り返し処理の４回目の際は、オブジェクト画像の描画領域を表す画像データは存在しない。この場合、画像データはないと判別される。
【００５２】
ステップＳ１９において、画像データがあると判別された場合（ステップＳ１９；ＹＥＳ）、画像データが拡大されて１ページ分として描画される（ステップＳ２０）。具体的には、ステップＳ１８で抽出された画像データが拡大され、拡大された画像データを１ページに割り付けるための割り付け処理が実行される。割り付け処理は、ＯＯＸＭＬ形式のパワーポイントファイルを構成する複数のパーツファイル群（図６参照）のうち、所定のパーツファイルのＯＯＸＭＬデータを編集することにより実行される。
【００５３】
ここで、図６は、ファイル名「サンプル．ｐｐｔｘ」であるパワーポイントファイルを構成する複数のパーツファイル群を示した図である。
【００５４】
[Ｃｏｎｔｅｎｔ＿Ｔｙｐｅ]．ｘｍｌファイルは、パワーポイントファイルのコンテンツタイプが定義されたパーツファイルである。
【００５５】
「．ｒｅｌｓ」ファイルは、パワーポイントファイルの構成に関するリレーションシップ（関連性）が定義されたパーツファイルである。「．ｒｅｌｓ」ファイルは、「．ｒｅｌｓ」フォルダに格納される。
【００５６】
「ｐｒｅｓｅｎｔａｔｉｏｎ．ｘｍｌ」ファイルは、パワーポイントファイルの構成が定義されたパーツファイルである。
【００５７】
「ｐｒｅｓｅｎｔａｔｉｏｎ．ｘｍｌ．ｒｅｌｓ」ファイルは、「ｐｒｅｓｅｎｔａｔｉｏｎ．ｘｍｌ」の構成に関する関連性が定義されたパーツファイルである。「ｐｒｅｓｅｎｔａｔｉｏｎ．ｘｍｌ．ｒｅｌｓ」ファイルは、ｐｐｔフォルダ内のｒｅｌｓフォルダ内に格納される。
【００５８】
「ｓｌｉｄｅｓ１．ｘｍｌ」ファイルは、スライド領域に描画されるオブジェクト画像関する情報が定義されたパーツファイルである。「ｓｌｉｄｅｓ１．ｘｍｌ」ファイルは、「ｓｌｉｄｅｓ」フォルダ内に格納される。
【００５９】
「ｓｌｉｄｅＭａｓｔｅｒ１．ｘｍｌ」ファイルは、スライド領域全体のデザインや書式が定義されたパーツファイルである。「ｓｌｉｄｅＭａｓｔｅｒ１．ｘｍｌ」ファイルは、「ｓｌｉｄｅＭａｓｔｅｒ」フォルダに格納される。
【００６０】
図７は、複数のパーツファイル群のうち、ｓｌｉｄｅ．ｘｍｌファイルのＯＯＸＭＬデータの一例を示す図である。図７（Ａ）は従来例に係る「ｓｌｉｄｅｓ１．ｘｍｌ」ファイルを示す。図７（Ｂ）は、本発明に係る「ｓｌｉｄｅｓ１．ｘｍｌ」ファイル及び「ｓｌｉｄｅｓ２．ｘｍｌ」を示す。
【００６１】
例えば、パワーポイントファイルの１ページ目のスライド領域に２つの画像データを割り付ける場合（従来例の場合）、図７（Ａ）に示すＯＯＸＭＬデータで構成された「ｓｌｉｄｅｓ１．ｘｍｌ」ファイルが生成される。なお、図７（Ａ）の括弧Ａ、ＢのＯＯＸＭＬデータは、パワーポイントファイルの１ページ目のスライド領域における２つの画像データの位置情報を定義するためのデータである。
【００６２】
一方、パワーポイントファイルの１ページ目のスライド領域に１つの画像データを割り付け、パワーポイントファイルの２ページ目のスライド領域に１つの画像データを割り付ける場合（本発明の場合）、図７（Ｂ）に示すＯＯＸＭＬデータで構成された「ｓｌｉｄｅｓ１．ｘｍｌ」ファイル及び「ｓｌｉｄｅｓ２．ｘｍｌ」ファイルが生成される。
【００６３】
ここで、図７（Ｂ）の「ｓｌｉｄｅｓ１．ｘｍｌ」ファイルにおけるＯＯＸＭＬデータは、図７（Ａ）に示す括弧ＡのＯＯＸＭＬデータが置き換わったデータである。また、図７（Ｂ）の「ｓｌｉｄｅｓ２．ｘｍｌ」ファイルにおけるＯＯＸＭＬデータは、図７（Ａ）に示す括弧ＢのＯＯＸＭＬデータが置き換わったデータである。
【００６４】
具体的に、「ｓｌｉｄｅｓ１．ｘｍｌ」ファイル及び「ｓｌｉｄｅｓ２．ｘｍｌ」ファイルにおけるＯＯＸＭＬデータは、画像データを拡大した拡大画像データを生成するための拡大オフセット値及び拡大サイズ値が定義されるように編集される。拡大オフセット値は、基準座標から拡大画像データの描画開始座標までのマージン値（幅マージン、高さマージン）である。基準座標は、拡大画像データを描画可能な最大範囲に位置する任意の座標値である。例えば、基準座標は図８（Ａ）のＣにおける座標値に相当し、描画開始座標は図８（Ａ）のＤにおける座標値に相当する。拡大サイズは、画像データを拡大するサイズ値である。
【００６５】
また、拡大オフセット値及び拡大サイズ値は、面付け情報、サイズ情報、マージン情報及びページ情報に関連付けられた値がデフォルト値として予めＲＯＭ４に記憶されている。ページ情報は、拡大画像データを割り付けるページの方向（縦・横）及びページサイズを示す情報である。
【００６６】
例えば、横方向のＡ４を示すページ情報が指定されており、４ｉｎ１の面付け原稿を読み取った場合、ページ情報、面付け情報、サイズ情報及びマージン情報に関連付けられた拡大オフセット及び拡大サイズがＲＯＭ４から読み出され、該読み出された拡大オフセット値及び拡大サイズ値が定義されるように「ｓｌｉｄｅｓ１．ｘｍｌ」ファイル及び「ｓｌｉｄｅｓ２．ｘｍｌ」ファイルのＯＯＸＭＬデータが編集される。
【００６７】
なお、拡大オフセット値及び拡大サイズは、デフォルト値でなく、ユーザにより指定入力された値がＯＯＸＭＬデータに定義されることとしてもよい。
【００６８】
図７（Ｂ）に示す「ｓｌｉｄｅｓ１．ｘｍｌ」ファイル及び「ｓｌｉｄｅｓ２．ｘｍｌ」ファイルが生成されることにより、原稿画像データから抽出された２つの画像データは拡大され、該拡大された２つの拡大画像データが「ｓｌｉｄｅｓ１」「ｓｌｉｄｅｓ２」を表すスライドページにそれぞれ割り付けられる。これにより、拡大画像データが１ページ分として描画される。
【００６９】
また、各ページに割り付けられる画像データが全く同一である場合は、画像データは同一である旨が「ｓｌｉｄｅＭａｓｔｅｒ１．ｘｍｌ」ファイルのＯＯＸＭＬデータに定義される。
【００７０】
上述の通り、所定のパーツファイルのＯＯＸＭＬデータが編集されることにより、拡大画像データが１ページずつに割り付けられたパワーポイントファイルが作成される。そして、作成されたパワーポイントファイルがＲＯＭ４に記憶される。また、パワーポイントファイルは、画像処理装置１のＨＤＤ（Hard Disk Drive）（図示省略）に記憶されることとしてもよい。
【００７１】
図４に戻り、ステップＳ２０の実行後、面付け繰り返し処理が終了すると（ステップＳ２１）、第１の処理は終了される。
【００７２】
ステップＳ１６において、原稿の体裁がノート原稿であると判別された場合（ステップＳ１６：ノート）、ノート原稿のレイアウト情報から描画位置が算出される（ステップＳ２２）。すなわち、ノート原稿のレイアウト情報から、オブジェクト画像の描画領域及びテキスト画像の描画領域が算出される。
【００７３】
ノート原稿のレイアウト情報は、オブジェクト画像の描画領域を算出するためのマージン情報、サイズ情報、テキスト画像の描画領域を算出するためのマージン情報及びサイズ情報に相当する。また、ノート原稿のレイアウト情報は、ユーザにより指定入力された情報であり、ＲＯＭ４に記憶されている。
【００７４】
オブジェクト画像の描画領域を算出する処理は、ステップＳ１８と同様である。また、テキストオブジェクトの描画領域を算出するためのマージン情報及びサイズ情報に基づいて、テキストオブジェクトが算出される。そして、算出されたオブジェクト画像の描画領域が画像データとして抽出される。また、算出されたテキスト画像の描画領域がノートデータとして抽出される。
【００７５】
ステップＳ２２の実行後、画像データが拡大されて１ページ分として描画される（ステップＳ２３）。ステップＳ２３で実行される処理は、ステップＳ２０で実行される処理と同様である。ステップＳ２３の実行後、ノートデータが描画される（ステップＳ２４）。
【００７６】
具体的には、所定のパーツファイルのＯＯＸＭＬデータが編集され、抽出されたノートデータが描画される。これにより、拡大画像データ及びノートデータが１ページごとに割り付けられたパワーポイントファイルが作成される。そして、作成されたパワーポイントファイルがＲＯＭ４に記憶される。ステップＳ２４の実行後、第１の処理は終了される。
【００７７】
ステップＳ１６において、原稿の体裁が配布資料形式の原稿であると判別された場合（ステップＳ１６；配布資料）、繰り返し処理が実行される（ステップＳ２５）。本ステップにおける繰り返し処理は、ユーザにより予め指定された所定の回数分実行される。例えば、所定の回数として「３」が入力された場合、３回分、ステップＳ２５〜Ｓ２９までの処理が繰り返し実行される。
【００７８】
ステップＳ２５の実行後、配布資料原稿のレイアウト情報から描画位置が算出される（ステップＳ２６）。すなわち、配布資料原稿のレイアウト情報から、オブジェクト画像の描画領域が算出される。
【００７９】
配布資料原稿のレイアウト情報は、オブジェクト画像の描画領域を算出するためのマージン情報及びサイズ情報に相当する。また、配布資料原稿のレイアウト情報は、ユーザにより指定入力された情報であり、ＲＯＭ４に記憶されている。
【００８０】
オブジェクト画像の描画領域を算出する処理は、ステップＳ１８と同様である。そして、算出されたオブジェクト画像の描画領域が画像データとして抽出される。
【００８１】
ステップＳ２６の実行後、画像データがあるか否かが判別される（ステップＳ２７）。具体的には、ステップＳ１１で入力されたオブジェクト画像の数及びユーザにより予め指定された所定の回数に基づいて、画像データがあるか否かが判別される。例えば、所定の回数が「３」であって、オブジェクト画像のページ数が「２」であった場合、繰り返し処理の３回目の際は、オブジェクト画像の描画領域を表す画像データは存在しない。この場合、画像データはないと判別される。
【００８２】
ステップＳ２７において、画像データなしと判別された場合（ステップＳ２７；ＮＯ）、後述するステップＳ２９に移行される。ステップＳ２７において、画像データありと判別された場合（ステップＳ２７；ＹＥＳ）、画像データが拡大されて１ページ分として描画される（ステップＳ２８）。ステップＳ２８で実行される処理は、ステップＳ２０と同様である。これにより、拡大された画像データが１ページずつに割り付けられたパワーポイントファイルが作成される。そして、作成されたパワーポイントファイルがＲＯＭ４に記憶される。
【００８３】
ステップＳ２８の実行後、繰り返し処理が終了されると（ステップＳ２９）、第１の処理は終了される。
【００８４】
パワーポイントファイルがＲＯＭ４に記憶された後、ユーザにより、パワーポイントファイルを編集する指示が実行されると、パワーポイントファイルがＲＯＭ４から読み出され、該読み出されたパワーポイントファイルが、表示部７に表示される（図８参照）。
【００８５】
例えば、面付け原稿からパワーポイントファイルが作成され、該パワーポイントファイルが表示部７に表示されると図８（Ａ）に示す表示画面となる。また、ノート原稿からパワーポイントファイルが作成され、該パワーポイントファイルが表示されると図８（Ｂ）に示す表示画面となる。また、配布資料原稿からパワーポイントファイルが生成され、該パワーポイントファイルが表示されると、図８（Ｃ）に示す表示画面となる。これにより、ユーザは、作成されたパワーポイントファイルを参照することが可能となるとともに、パワーポイントファイルを編集することが可能となる。
なお、パワーポイントファイルは、画像処理装置１と通信接続された外部装置（例えば、ＰＣ等）の表示部（図示省略）に表示することとしてもよい。  
【００８６】
また、上記の第１の処理において、画像データの抽出の順番は、ユーザにより予め指定された順番で実行されることとしてもよい。例えば、４ｉｎ１の面付け原稿において、４つの画像データを抽出する順番としてオブジェクト画像の順番（オブジェクト画像のページ順）がユーザにより予め指定されていた場合、ユーザにより指定された順番で画像データが抽出される。そして、抽出された順番で画像データが１ページごとに割り付けられたパワーポイントファイルが作成される。なお、予め指定された順番は、デフォルトの順番であってもよい。
【００８７】
次に、第２の処理について説明する。第２の処理は、原稿画像データからユーザにより指定入力された所定の領域のデータを画像データとして抽出し、該抽出された画像データが１ページごとに割り付けられたパワーポイントファイルを出力する処理である。具体的には、第２の処理は、原稿画像データからユーザにより指定入力された所定の領域のデータを画像データとして抽出し、該抽出された画像データが１ページごとに割り付けられたパワーポイントファイルを作成し、該作成されたパワーポイントファイルをＲＯＭ４に記憶する処理である。以下、第１の処理と異なる部分を主として説明する。
【００８８】
ステップＳ３１及びＳ３２は第１の処理のステップＳ１４及びＳ１５とそれぞれ同様である。ステップＳ３２において、読取部５により原稿がスキャンされると、読み取られた原稿画像データが表示部７に表示される。例えば、図１０に示すように、原稿画像データが表示部７に表示される。
【００８９】
そして、ユーザによる操作部８を介しての操作により、切り抜く回数Ｎの入力が受け付けられる（ステップＳ３３）。切り抜く回数とは、表示された原稿画像データのうち、所定の領域を切り抜くためにユーザが操作を行う回数のことである。切り抜く回数は、ファイルを構成するページ数に相当する。
【００９０】
ステップＳ３３の実行後、Ｎ回繰り返し処理が開始される（ステップＳ３４）。例えば、ステップＳ３２において、「３回」が切り抜く回数として入力された場合、３回分、ステップＳ３４〜ステップＳ３８までの処理が繰り返し実行される。
【００９１】
ステップＳ３４の実行後、切り抜く枠のサイズの入力が受け付けられる（ステップＳ３５）。例えば、図１０に示すように、表示された原稿画像データの中から、切り抜く枠を指定する操作が操作部８のタッチペンを介して入力される。
【００９２】
ステップＳ３５の実行後、切り抜く箇所（座標値）の入力が受け付けられる（ステップＳ３６）。例えば、図１０に示すように、表示された原稿画像データの中から、切り抜く箇所、すなわち座標値を指定する操作が操作部８のタッチペンを介して入力される。具体的には、ユーザがタッチペンを用いてタッチアンドドラッグすることにより枠線が指定入力される。この操作により、切り抜く枠のサイズ（枠の大きさ）や切り抜く箇所（枠の位置）が指定入力される。
【００９３】
ステップＳ３６の実行後、切り抜かれた画像データが拡大されて１ページ分として描画される（ステップＳ３７）。例えば、図１１（Ａ）に示すような枠線がユーザにより指定入力された場合、該指定入力された領域に対応する画像データが拡大されて１ページ分として描画される。ステップＳ３７で実行される処理は、第１の処理のステップＳ２０で実行される処理と同様である。すなわち、ユーザにより指定入力された領域に対応する画像データが拡大され、拡大された画像データが１ページに割り付けられたパワーポイントファイルが作成される。そして、作成されたパワーポイントファイルが表示部７に表示される（図１１（Ｂ）参照）。
【００９４】
ステップＳ３７の実行後、Ｎ回繰り返し処理が終了されると（ステップＳ３８）、第２の処理は終了する。
【００９５】
以上、本実施の形態によれば、例えば、４ｉｎ１の面付け原稿を読み取った場合、原稿画像データから画像データを４つ抽出し、該抽出された４つの画像データが１ページごとに割り付けられたパワーポイントファイルを作成することができる（図８（Ａ）参照）。このため、ユーザは、画像データを１ページごとに割り付ける作業を要しないので、ユーザの利便性を向上させることができる。
【００９６】
また、原稿内に含まれるオブジェクト画像を予め指定された順番で抽出し、該抽出された順番で画像データが１ページごとに割り付けられたパワーポイントファイルを作成する。このため、ユーザは、予め指定された順番を所望の順番に指定することにより、所望の順番で画像データが配列されたパワーポイントファイルを作成することができる。
【００９７】
また、ユーザにより指定入力された画像データが１ページごとに割り付けられたパワーポイントファイルを出力する。このため、ユーザは所望の画像データを指定入力できるので、ユーザが所望するレイアウトのパワーポイントファイルを作成することができる。また、ユーザは、画像データを所望のページに割り付ける作業を要しないので、ユーザの利便性を向上させることができる。
【００９８】
また、拡大画像データが１ページごとに割り付けられたパワーポイントファイルを出力するので、ユーザは、拡大画像データで構成されるパワーポイントファイルを参照することができる。
【００９９】
なお、上記第１の処理においては、マージン情報及びサイズ情報に基づいて、オブジェクト画像の描画領域を算出することとしたがこれに限定されるものではない。例えば、原稿画像データ内において、枠線（例えば、図３（Ａ）の原稿画像データ内における４つの四角の枠線）で規定された領域をオブジェクト画像の描画領域としてもよい。
【０１００】
また、上記第２の処理においては、切り抜く回数Ｎを指定することとしたがこれに限定されるものではない。例えば、ユーザは、切り抜く回数Ｎを指定せずに、切り抜く枠のサイズ及び切り抜く箇所を１回ごとに指定入力することとしてもよい。
【０１０１】
また、上記実施の形態では、画像データを拡大し、該拡大画像データを１ページずつに割り付けることとしたがこれに限定されるものではない。例えば、画像データを拡大せずにそのまま１ページごとに割り付けることとしてもよい。
【０１０２】
また、第１の処理及び第２の処理において、パワーポイントファイルを作成した後、該作成したパワーポイントファイルをＲＯＭ４等に記憶する前に、パワーポイントファイルを表示部７にプレビュー表示することとしてもよい。これにより、ユーザは、作成されたパワーポイントファイルがユーザの所望するレイアウトのパワーポイントファイルであるか否かをＲＯＭ４等に記憶する前に確認することができる。
【符号の説明】
【０１０３】
１  画像処理装置
２  ＣＰＵ（制御部）
３  ＲＡＭ
４  ＲＯＭ
５  読取部（読取部）
６  印刷部
７  表示部
８  操作部
９     カードスロット
１０   バス
【図１】
2012168832.tif 000003
【図２】
2012168832.tif 000004
【図３】
2012168832.tif 000005
【図４】
2012168832.tif 000006
【図５】
2012168832.tif 000007
【図６】
2012168832.tif 000008
【図７】
2012168832.tif 000009
【図８】
2012168832.tif 000010
【図９】
2012168832.tif 000011
【図１０】
2012168832.tif 000012
【図１１】
2012168832.tif 000013
【図１２】
2012168832.tif 000014
【図１３】
2012168832.tif 000015